(57)【要約】      （修正有）【課題】ＬＥＤを備えたランプユニットを光源とし、ランプのかさの湾曲角度を改善して光線を散らばらせることなく集光させるＬＥＤ灯具を提供する。【解決手段】灯座１の底部に内部に向って凹んだ凹所１１があり、凹所１１は内縁面が孤形面を呈し、凹所１１の長辺では、前後の端部が内部に向って湾曲する。凹所１１の短辺に沿って三個配列する形式でランプユニット２が配置される。ランプユニット２はＬＥＤを発光デバイスとし、左右両端のランプユニット２は凹所１１内縁面に沿って内側に傾く。同様に、同列の前後の端部にあるランプユニット２は凹所１１内縁面に沿って内側に傾く。複数のランプユニット２がＬＥＤ灯具の光度を向上させる以外に、複数のランプユニット２の光線が集光されることにより光線の散らばりという短所を解決した。【選択図】図１
0003137249.tif 000002
【実用新案登録請求の範囲】
【請求項１】
灯座、内部に向って凹んだ凹所、及び複数のランプユニットを備えるＬＥＤ灯具であって、
前記凹所は長辺の前後の端部が内部に向って湾曲し傾斜状を呈し、
複数の前記ランプユニットは内部にそれぞれ複数のＬＥＤが配置され、前記凹所の短辺に沿って三個配列され、左右両端の前記ランプユニットは、前記凹所内部の湾曲面により、内側に傾き、同列の前後の端部にある前記ランプユニットも内側に傾くことを特徴とするＬＥＤ灯具。
【請求項２】
前記灯座は頂部に複数の放熱片を配置することを特徴とする請求項１に記載のＬＥＤ灯具。
【請求項３】
前記灯座はアルミニュウムの加圧鋳込成形工程により一体成形されることを特徴とする請求項１に記載のＬＥＤ灯具。
【請求項４】
前記ランプユニットは基板をさらに有し、前記基板には複数の前記ＬＥＤが配置され、前記基板にはランプのかさがさらに接合され、前記ランプのかさは内部に前記ＬＥＤを覆うように配置することを特徴とする請求項１に記載のＬＥＤ灯具。
【請求項５】
前記基板はもう一方の面に均温板がさらに接合され、前記基板とともに前記凹所内にネジで固定されることを特徴とする請求項４に記載のＬＥＤ灯具。
【請求項６】
前記凹所は内部に反射板がさらに接合され、前記反射板は複数の穿孔を有し、前記反射板が凹所に配置されると、前記ランプユニットの前記ランプのかさは前記穿孔にぴったり収納されることを特徴とする請求項１に記載のＬＥＤ灯具。
【請求項７】
前記灯座は対応するカバーにさらに接合されることを特徴とする請求項１に記載のＬＥＤ灯具。
【請求項８】
前記カバーはフレーム体、フレーム及び透明板を有し、前記フレーム体が対応する前記透明板に接合される時、前記フレームが前記フレーム体と前記透明板との間に挟まれるように配置されることを特徴とする請求項７に記載のＬＥＤ灯具。
【請求項９】
前記フレーム体は一方の端部に止め金を有し、前記灯座の一方の端部に嵌合されることを特徴とする請求項８に記載のＬＥＤ灯具。
【請求項１０】
前記フレーム体はもう一方の端部には連結座を有し、前記灯座はもう一方の端部には枢接座を有し、前記フレーム体は対応する前記枢接座に接合されることを特徴とする請求項８に記載のＬＥＤ灯具。
【請求項１１】
前記フレーム体と前記枢接座とは枢軸及びナットにより固定させることを特徴とする請求項１０に記載のＬＥＤ灯具。
【請求項１２】
前記灯座と前記カバーとの間に前記防水フレームが配置され、前記灯座と前記カバーとが接合される時、両者の間に前記防水フレームが挟まれることを特徴とする請求項７に記載のＬＥＤ灯具。
【請求項１３】
前記凹所は内縁面が弧形を呈することを特徴とする請求項１に記載のＬＥＤ灯具。
【考案の詳細な説明】
【技術分野】
【０００１】
本考案は、灯具に関し、特にＬＥＤを発光デバイスとする灯具に関する。
【背景技術】
【０００２】
ＬＥＤは、近年最も注目を浴びる製品の一つである。ＬＥＤは、低汚染及び高光度といった長所を備えるとともに、発光効果が従来の発光デバイスと異なり、光線が散らばりにくいため、普段よく見かける照明器具に広く用いられるが、最近では信号機にも用いられるようになった。
【０００３】
道路に設置される信号機は、歩行者や車輌を誘導するのに用いられるため、一般の家庭で用いられる照明器具と異なり、求められる品質はかなり高くなる。信号機は、屋外に設置されるため、異なる天候下において、同じ光度を提供せねばならない。従来の信号機は、単一の発光デバイスを光源とし、ランプのかさの反射作用を用いて照射範囲を拡大するが、従来の発光デバイスが照射する光線は、散らばりやすく、ランプのかさの反射によって光線を集光することが難しかった。そのため、照明効果には限界があり、天候が不良の場合、霧や雨などの影響を受けると、さらにぼんやりとしてしまい、信号機としての目的を達せなくなってしまった。
【０００４】
ＬＥＤの長所は、従来の発光デバイスの短所を補うことができる。ＬＥＤは、光線が散らばりにくい以外に、天候が不良でも、歩行者や車輌を的確に誘導することができるため、信号機の主な発光デバイスの一つとなっている。
【０００５】
ＬＥＤは、光線が散らばりにくいという長所を備えるが、信号機にとって、高光度以外に、大きな照射範囲がさらに重要である。そのため、従来の信号機の内部には複数のＬＥＤが二列に配列され、光源の光度を向上させた。また、灯具の内部にランプのかさが配置され、反射によって集光して照射範囲を拡大した。
【０００６】
従来技術では、複数のＬＥＤが光源とされ、大きな照射面積を提供するのに十分な光度ではあったが、従来のランプのかさの構造が設計不良だったため、二列に配置されたＬＥＤの発光する光線が完全にランプのかさで反射されて照射されず、光源強度の増加にともない、照射面積も増加させることができなかった。そのため、信号機の発光効率は、光源強度の増加にともない、増加できないばかりか、却ってエネルギを浪費してしまい、従来技術を改善する新たな方法が待たれていた。
【特許文献１】特開２００７−１２２９３３号公報
【考案の開示】
【考案が解決しようとする課題】
【０００７】
本考案の目的は、ＬＥＤを備えたランプユニットを光源とし、ランプのかさの湾曲角度を改善して光線を散らばらせることなく集光させるＬＥＤ灯具を提供することにある。
【課題を解決するための手段】
【０００８】
上述の目的を達成するため、本考案はＬＥＤ灯具を提供する。本考案のＬＥＤ灯具は、灯座を備える。灯座の底部に内部に向って凹んだ凹所があり、凹所は内縁面が孤形面を呈し、凹所の長辺では前後の端部が内部に向って湾曲する。凹所の短辺に沿って三個配列する形式でランプユニットが配置される。ランプユニットはＬＥＤを発光デバイスとし、左右両端のランプユニットは凹所内縁面に沿って内側に傾く。同様に、同列の前後の端部にあるランプユニットは凹所内縁面に沿って内側に傾く。複数のランプユニットがＬＥＤ灯具の光度を向上させる以外に、複数のランプユニットの光線が集光されることにより光線の散らばりという短所を解決した。
【考案の効果】
【０００９】
従来技術では、ランプのかさ構造の設計不良のため、ＬＥＤの発光する光線が完全にランプのかさで反射されて照射されず、光源強度の増加にともない、照射面積も増加させることができなかったが、本考案のＬＥＤ灯具は、灯座の内部に向って凹んだ凹所の傾きを利用してランプのかさの角度を中央に向けるように改良したため、光源強度の増加にともない、照射面積も増加させることが可能になり、発光効率も向上させ、エネルギの浪費という短所も克服することができる。
【考案を実施するための最良の形態】
【００１０】
以下、本考案の実施形態を図面に基づいて説明する。図１は、本考案の実施形態によるＬＥＤ灯具を示す斜視図である。図１に示すように、本考案のＬＥＤ灯具は、灯座１を本体とする。灯座１は、長方形を呈するケースであって、アルミニュウムの加圧鋳込成形工程により一体成形される。灯座１の底部には、内部に向って凹んだ凹所１１がある。本実施形態において、凹所１１は内縁面が孤形面（図６参照）を呈し、凹所１１の長辺では、前後の端部が内部に向って湾曲して凹所１１の内縁面が傾斜状（図７参照）を呈する。灯座１の頂部は、間隔をあけて配列された複数の放熱片１２を有し、灯座１内部の発光体が放熱を行なうのを補助する。灯座１の後部の端部は枢接部１３を有する。また、凹所１１内部には、複数のンプユニット２が配置され、ランプユニット２は、凹所１１の短辺に沿って三個配列する形式で、左右両端のランプユニット２は、凹所１１内部の湾曲した面により、照射角度が中央に向けられる（図６参照）。同様に、同列の前後の端部にあるランプユニット２は、凹所１１内縁面の前後の端部が内部に向って湾曲しているため、ランプユニット２の照射角度は内側に向かう（図７参照）。また、ランプユニット２は、複数の発光デバイス２１をそれぞれ有する。本実施形態において、発光デバイス２１はＬＥＤであって、発光デバイス２１は、基板２２上に配置され、基板２２上には碗状を呈するランプのかさ２３が配置される。発光デバイス２１は、ランプのかさ２３の内部に覆われるように配置されるため、発光デバイス２１の発光する光線がランプのかさ２３により、反射され外部に照射される。それから、基板２２のもう一つの面には、均温板３が配置され、凹所１１の内縁面にネジで固定され、ランプユニット２の内部に配置された発光デバイス２１の発生した熱を、基板２２から均温板３に熱伝導して、最後に灯座１の頂部に配置された複数の放熱片１２により、放熱作用が行なわれる。
【００１１】
図２は、本考案の実施形態によるＬＥＤ灯具を示す斜視図である。図２に示すように、凹所１１の内部には対応する反射板４が配置される。反射板４は、複数の穿孔４１を有し、反射板４が対応する凹所１１に配置されると、ランプユニット２のランプのかさ２３は対応する穿孔４１内にぴったり収納される。
【００１２】
図３は、本考案のカバーを示す斜視図である。図４は、本考案の実施形態によるＬＥＤ灯具を示す斜視図である。図３及び図４に示すように、灯座１は、対応するカバー５を接合する。カバー５は、フレーム体５１を有し、フレーム体５１の前の端部は、灯座１に嵌合する止め金５１１を有し、後ろの端部は、連結座５１２を有する。フレーム体５１は、周縁に対応するフレーム５２に接合されてから、再び透明板５３と接合されるが、フレーム５２をフレーム体５１と透明板５３との間に挟むように配置する。カバー５と対応する灯座１とが接合される時、灯座１とカバー５とが接合される周縁上に防水フレーム６が挟まれるように配置される。また、灯座１の後ろの端部に配置された枢接部１３と、カバー５の後ろの端部に配置された連結座５１２とは、互いに接合し、枢軸７及びナット８により枢接部１３とカバー５とを固定させると、図５に示すようになる。図５は、本考案の実施形態によるＬＥＤ灯具の組立完成を示す斜視図である。
【００１３】
図６は、本考案の実施形態によるＬＥＤ灯具を示す横方向の断面図である。図７は、本考案の実施形態によるＬＥＤ灯具を示す縦方向の断面図である。図６及び図７に示すように、本考案のＬＥＤ灯具は、凹所１１内部に配置された三列のランプユニット２、及び凹所１１の内縁面の湾曲した設計により、ランプユニット２の照射角度が中央に向けられるので、ランプユニット２の照射する光線は中央に集光され、散らばることがない。また、同様に、同列の前後の端部にあるランプユニット２は、凹所１１内縁面の前後の端部が内部に向って湾曲しているため、ランプユニット２の照射角度は内側に向かい、光線が散らばるのを防止する。
【００１４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１５】
【図１】本考案の実施形態によるＬＥＤ灯具を示す斜視図である。
【図２】本考案の実施形態によるＬＥＤ灯具を示す斜視図である。
【図３】本考案のカバーを示す斜視図である。
【図４】本考案の実施形態によるＬＥＤ灯具を示す斜視図である。
【図５】本考案の実施形態によるＬＥＤ灯具の組立完成を示す斜視図である。
【図６】本考案の実施形態によるＬＥＤ灯具を示す横方向の断面図である。
【図７】本考案の実施形態によるＬＥＤ灯具を示す縦方向の断面図である。
【符号の説明】
【００１６】
１  灯座
２  ランプユニット
３  均温板
４  反射板
５  カバー
６  防水フレーム
７  枢軸
８  ナット
１１  凹所
１２  放熱片
１３  枢接部
２１  発光デバイス
２２  基板
２３  ランプのかさ
４１  穿孔
５１  フレーム体
５１１  止め金
５１２  連結座
５２  フレーム
５３  透明板
【図１】
0003137249.tif 000003
【図２】
0003137249.tif 000004
【図３】
0003137249.tif 000005
【図４】
0003137249.tif 000006
【図５】
0003137249.tif 000007
【図６】
0003137249.tif 000008
【図７】
0003137249.tif 000009